(57)【要約】    【課題】  室内、玄関、トイレ、キッチンなど、日常の生活で利用される場所に設置する多目的装飾品に関する。さらに詳しくは、装飾の形態を時の経過の中で変化させていくことができる多目的装飾品に関する。    【解決手段】  透明のガラスあるいは合成樹脂製の容器１に芳香剤または消臭剤としての効能を有する着色あるいは無色の透明のゲル３がほぼ満杯状態で充填され、またそのゲル３の中央部にガラスで作られた装飾用柵４とこれにぶら下がっている装飾用犬５が埋設されており、容器１の開口部２を開蓋可能な蓋６によって閉蓋している多目的装飾品。【選択図】  図１
2005225200.tif 000002
【特許請求の範囲】
【請求項１】
透明の容器と、その容器内に開蓋可能な蓋によって密閉状態で充填されている透明状のゲルと、そのゲルの中に埋設されている装飾性物体とを備えた多目的装飾品。
【請求項２】
前記ゲルが化学的効能を有する請求項１に記載の多目的装飾品。
【請求項３】
前記装飾性物体が容器に取り付けるための装着部材を有している請求項１に記載の多目的装飾品。
【請求項４】
前記装飾性物体が動物の形態を有し、前記装着部材がその動物の前足ないし手をフック状に形成してなる請求項３記載の多目的装飾品。
【発明の詳細な説明】
【技術分野】
【０００１】
本発明は、室内、玄関、トイレ、キッチンなど、日常の生活で利用される場所に設置する多目的装飾品に関する。さらに詳しくは、装飾の形態を時の経過の中で変化させていくことができる多目的装飾品に関する。
【背景技術】
【０００２】
装飾品の形態を変化させることができるものとして、例えば透明のガラス体が中空に形成され、その中空部に空気と、液体と、この液体の動きに伴って移動することができる装飾性物体が充填されているものがある。この装飾性物体はガラス体を傾斜することによって、液体が移動すると同時に移動する。その結果、中空部の中の様相が変化し、中空部は傾斜前とは異なるデザインになる。
【０００３】
しかしこの装飾品の基本的な形態は変化していないし、また装飾品自体の外観も変化していないから、装飾品としては結局のところ短期的に飽きられることになる。また再利用されることもなく処分されることになる。こうした数多の処分品が結果的に環境破壊の一因になっているのである。
【発明の開示】
【発明が解決しようとする課題】
【０００４】
近年、環境破壊を防止するため、使用済みの製品のリサイクル運動が注目されている。本発明はこうした時代的背景に基づき、室内などに置かれている簡易な装飾品について簡単に処分するのではなく、一つの装飾品を多目的に使用することができる装飾品にすることによって、長期間の使用を可能にし、また簡単に処分することを防止することができる多目的装飾品を提供することを課題にしている。
【課題を解決するための手段】
【０００５】
本発明の多目的装飾品（請求項１）は、透明の容器と、その容器内に開蓋可能な蓋によって密閉状態で充填されている透明状のゲルと、そのゲルの中に埋設されている装飾性物体とを備えていることを特徴としている。
【０００６】
前記ゲルは化学的効能を有しているものが好ましい。
【０００７】
また前記装飾性物体は容器に取り付けるための装着部材を有しているものが一層、好ましい。
【０００８】
前記装飾性物体が動物の形態を有し、前記装着部材がその動物の前足ないし手をフック状に形成してなるものがさらに好ましい。
【発明の効果】
【０００９】
本発明の多目的装飾品（請求項１）は、透明の容器に透明状のゲルが充填されており、さらにそのゲルの中には装飾性物体が埋設されている。つまりゲルは容器と密着して一体化しており、中の装飾性物体は容器の外側から透視することが可能になっている。したがってこの多目的装飾品の外観は全体がガラス体に看取することができるので、装飾性物体はまるでガラス体の中に埋設されている高級感のあるガラス装飾品の様相を呈している。特にゲルが着色されている場合には、色付きガラス体と装飾品との組み合わせにより一層高級感のあるガラス体の装飾品に形成することができる。
【００１０】
上記ガラス体の装飾品としての状態は、ゲルが容器に密閉されているので、揮発（あるいは昇華）が防止されていることによって可能になっている。したがって蓋を閉じておけばゲルの状態は安定しているので、高級感のある装飾品として長く観賞することができる。また上記装飾品の実体は安価な製品にも拘わらず、外見は高級感のあるガラス製の装飾品として観賞することができるので、極めて経済的である。
なお、ここでいうゲルは、上記装飾性物体の表面および容器の内面に全面密着することが可能な粘着性を有し、ゲルの中で装飾性物体を傾斜しないように保持し、かつゲルの中からこれを抜出することが可能な適度な軟性を兼備するものである。
【００１１】
前記ゲルが化学的効能を有する場合（請求項２）、たとえばゲルが芳香、消臭などの化学的効能を有する場合、容器の蓋を閉じているときは、その効能が容器外にもれないように保持されている。さらに蓋を開けることによって、その効能が得られる。したがって、請求項１に記載されている装飾品は芳香剤あるいは消臭剤としても使用することができる。つまり一体二作用の効果を有している。
【００１２】
またこのような装飾性物体が容器に取り付けるための装着部材を有している場合（請求項３）、ゲルがたとえば芳香剤および消臭剤として使用されている間、ゲルは揮発（または昇華）して縮小していき、やがては中に埋め込まれている装飾性物体がゲルの表面より外出し始めることになる。装飾性物体がゲルの表面より外出すると、装飾性物体はゲルの中から簡単に取り出すことができる。したがってこの装飾性物体を容器に装着することによって、それまではなんら装飾性がない容器を装飾性のある容器に変身させることができる。また上記芳香剤または消臭剤は容器に装飾性がもたらされたことによって、前記芳香剤（装飾性物体はゲルの中で、容器には装飾性はない）とは異なる装飾の形態で室内を装飾することができる。
【００１３】
また、上記装飾性のある容器は前記高級感のあるガラス体の装飾品を観賞した後、一切の費用をかけることなく装飾性物体の再利用によってのみ、目的の異なる装飾品を形成している。この装飾品は上記装飾品とは趣の異なる物であるから、装飾性物体が再利用されたものであっても新に楽しむことができる。
【００１４】
さらに上記芳香剤あるいは消臭剤の作用が完了した後の容器は、装飾性物体が装着されているので、装飾容器として室内を飾る目的で使用することができる。また容器に装飾性がほどこされているから、雰囲気的にはおしゃれな小物、たとえばヘアピンや髪飾りなどを収納する小物入れとしての再利用には最適である。
【００１５】
以上によって明らかなように上記多目的装飾品は、装飾性物体、ゲル、容器の三体が固体と化すことによる純然たる装飾品としての使用（第一の使用）、次に芳香剤または消臭剤の効能を有する装飾品としての使用（第二の使用）、そして容器そのものを装飾品としての使用、また小物を入れるための装飾容器としての使用（第三の使用）を余計な費用を一切かけることなく、再利用によって実現させている。このように環境保全が求められている現在、一つの使用目的を持つ物品を他の使用目的にも使用することができる効果は大きい。特に装飾形態を変化させて目的別のものを形成しているので、長い間の再利用品であっても飽きることなく楽しんで使用することができることの効果は極めて甚大である。
【００１６】
前記装飾性物体が動物の形態を有し、前記装着部材がその動物の前足（または手）ないし後ろ足をフック状に形成している場合（請求項４）、この動物の前足（または手）ないし後ろ足は容器に引っ掛けることが可能になっている。したがってこの動物を直に容器に引っ掛けている状態は動物と容器が一体的であり、また煩雑さがないので、洗練された装飾性のある容器の形態になっている。また動物は容器に簡単に着脱できるから、容器のどの位置に配置するかを工夫することによってオリジナルな容器にすることができるので、満足度が高くなる。
【発明を実施するための最良の形態】
【００１７】
図１は本発明の装飾品の斜視図、図２は装飾用の犬の正面斜視図、図３ａは芳
香剤（ないし消臭剤など）としての使用状態を示す装飾品の斜視図、図３ｂは図
３ａの使用途中における装飾品の斜視図、図４は小物入れとして使用している状
態の装飾品の斜視図である。
【００１８】
第１図に示す装飾品Aの容器１は透明のガラスあるいは合成樹脂製で、厚みは比較的薄く、上部に開口部２が設けられている。容器１には芳香剤または消臭剤としての効能を有する着色あるいは無色の透明のゲル３がほぼ満杯状態で充填されており、またそのゲル３の中央部にはガラスで作られた装飾用柵４とこれにぶら下がっている装飾用犬５が埋設されている。上記ゲル３は装飾用柵４が転倒しないように保持力を有すると共に、装飾用犬５をゲル３より抜出させることが可能な適当な粘性を有し、かつ装飾用犬５が抜出された後に形成される空間部を保形することができる適当な硬性を有している。そして開口部２はゲル３の蒸発を防止するためにバリア性の高い蓋６によって閉蓋されている。この蓋６は気密性が高いほど望ましい。また蓋６は簡単に剥離できないように開口部の周縁に強力に接着されている。
【００１９】
上記の装飾用犬５は図２に示すように容器１の縁に引っ掛けることができるフック７を有している。このフック７は実際の犬の行動パターンにある「チンチン」のポーズの前足８、８によって形成されている。それは図示しているように後ろ足９で立ちながら胴体１０を立ち上げ、前足８を胴体１０より少し離して前下がりにしている形状である。このフック７の形態は前述のとおり実際の犬の仕草の一つであり、また感情表現の一つであるから、自然である。
【００２０】
したがってこの装飾品Aは容器１、ゲル３、そして装飾用柵４および装飾用犬５の四体が確実に密着し、しかもフック７が実際の犬の行動パターンにある形態によって奏成しているので、全体がガラス体で、一塊に成形された高級感のあるものに外見することができる。また容器の中の芳香剤や消臭剤は外見からはそれと認識される可能性はほとんどなく、装飾品として使用するのに何ら問題はない。
【００２１】
次にこの装飾品Aついての使用方法について述べる。
図１は前述のとおり室内の装飾品Aとして使用する形態である。この形態では開口部２が閉蓋されているので、ゲル３の揮発（または昇華）は防止されている。またゲル３は変形したり縮小したりすることも防止されている。したがってこのゲルに保持されている装飾用犬５は転倒したりあるいは傾斜したりすることは防止されているから、高級感のある装飾品として玄関、トイレ、またキッチンなどの室内に設置することができる。
【００２２】
蓋６が開封されると、前記ゲル３は揮発（または昇華）し、芳香剤あるいは消臭剤として作用することになる。しかしゲル３が容器１の内面に密着し、かつ装飾用犬５がゲル４の中に完全に埋め込まれている状態（ゲルが図３ａの二点鎖線の位置にある状態）においては前記装飾品としての体裁は保持されているので、装飾品としての使用価値は維持されている。即ちこの状態においては芳香剤または消臭剤の作用をする装飾品Bとして使用することができる。
【００２３】
ゲル３の揮発（または昇華）が進み、図３ａに示すようにゲル３の表面が降下してくると、装飾用犬５は表面より一部が突き出て、非常に不体裁な状態になり、全体的にも装飾品としての外観は維持できなくなる。しかし装飾用柵４および装飾用犬５は図３ｂに示すように、ゲル３より抜き取ることが簡単にでき、しかも装飾用犬５が抜け出た後に形成される空洞部Cは模様に外見されるので、何ら問題はない。そして取り上げられた装飾用犬５はフック７を容器１に引っ掛けることによって変哲のない容器を装飾性のある容器に変幻させることができる。特に図３ｂに示す装飾用犬５が容器にぶら下がっている形態は犬が水槽に落ちないように頑張っている様子がイメージされる。また図示外ではあるが容器の外側から内側にフック７を引っ掛ければ、水槽の水を面白げに見ているようにイメージされる。このように容器１と犬（装飾用犬５）のコラボレーションにはストーリー的要素があるので、見ている者を癒す作用がある。また装飾犬５は容器１の縁のどこにでも引っ掛けることができ、犬のイメージを創作することができる。
【００２４】
ゲル３はやがて完全に揮発（または昇華）して芳香剤あるいは消臭剤としての役目を終えることになるが、容器１は装飾用犬５によって装飾性のある容器Dとして室内を飾ることができる。また図４に示すように装飾用犬５付きの容器は、髪飾りなど１１を収納するのに適した非常にかわいい小物入れとして使用することもできる。この形態の装飾犬５は髪飾りなどを高いところから興味深げに覗き込んでいるようにイメージされる。またこの容器に砂または種などを入れると植木鉢として使用することもできるが、この場合は装飾用犬５が砂の表面から突き出る芽を見守っているようにイメージされる。このように容器１の縁に装飾用犬５を引っ掛けることができるようにしたことによって、容器１はいつまでも飽きさせることがないクリエイテヴィブな容器として再利用することができる。
【００２５】
以上の使用方法からも明らかなように、装飾用犬５が容器１との合体によって一つの装飾品として使用され、次に芳香剤などの装飾性容器（または装飾品）、そしておしゃれ小物などを入れる装飾容器へと見事に変身させていくのに、一切の無駄はなく、また一切の費用をかけずに、目的別の装飾性物体を形成させている。またこれまでは一つひとつの目的ごとに製品作りがなされていたのを、部材を再利用することによって装飾というテーマの名のもとに多目的の物体を形成させている。
【００２６】
なお、装飾用犬のフックは前足の一方だけでもよいし、また後ろ足と前足によるものでもよい。さらに装飾用犬以外に猿、あしか、たこなどでもよい。要は動物の手足の動きがフック状の形態に似ているものであれば、フックに見えがたいので、特に好ましい。また動物に変るものとしてはつる性の植物などは物につかまる特性があるので、枝部分をフック状に形成しておけばよい。このようにフックがフックでありながらフックには外見されにくいものが装飾性物体の対象としてふさわしい。
またフックの代わりに無色透明の吸盤を装飾性物体の胴部などに取り付けて、容器に着脱自在にしてもよい。
【図面の簡単な説明】
【００２７】
【図１】本発明の装飾品の実施形態を示す正面斜視図である。
【図２】装飾用犬の正面斜視図である。
【図３】図３ａは芳香剤（または消臭剤）の使用状態を示す装飾品の斜視図、図３bは図３ａの使用途中における装飾品の斜視図である。
【図４】小物入れとしての使用状態を示す装飾品の正面斜視図である。
【符号の説明】
【００２８】
１  容器
２  開口部
３  ゲル
４  装飾用柵
５  装飾用犬
６  蓋
７  フック
８  後ろ足
９  胴部
１０  前足
A  装飾品
B  芳香剤または消臭剤としての装飾品
C  空洞部
D  小物入れとしての装飾容器
【図１】
2005225200.tif 000003
【図２】
2005225200.tif 000004
【図３】
2005225200.tif 000005
【図４】
2005225200.tif 000006